(57)【要約】【課題】ＭＲ検査のワークフローの改善。【解決手段】架台は、ＭＲ撮像機構を搭載する。寝台は、患者を載置する天板を移動自在に支持する。移動式スクリーン装置は、ＭＲ検査に関する一連の支援情報を提供する。処理回路は、架台を利用するＭＲ検査の検査情報と天板の位置とに基づいて支援情報を切り替える。【選択図】      図７
2018064889.tif 000002
【特許請求の範囲】
【請求項１】
ＭＲ撮像機構を搭載する架台と、
患者を載置する天板を移動自在に支持する寝台と、
ＭＲ検査に関する一連の支援情報を提供する情報提供部と、
前記架台を利用するＭＲ検査の検査情報と前記天板の位置とに基づいて前記支援情報を切り替える情報制御部と、
を具備する磁気共鳴イメージングシステム。
【請求項２】
前記支援情報は、ＭＲ検査対象の患者に使用されるコイル又は保持具の設置の手順を示す設置情報を含み、
前記検査情報は、前記架台を利用するＭＲ検査の検査スケジュールを含み、
前記情報制御部は、前記天板が患者降台高さに下降された場合、前記検査スケジュールに基づいて次のＭＲ検査対象の患者に使用されるコイル又は保持具を特定し、前記特定されたコイル又は保持具に関する前記設置情報に前記支援情報を切替える、
請求項１記載の磁気共鳴イメージングシステム。
【請求項３】
前記検査スケジュールは、ＭＲ検査対象の検査部位に関する情報を含み、
検査部位各々にコイル又は保持具を関連づけたテーブルを記憶する記憶部を更に備え、
前記情報制御部は、前記検査スケジュールに基づいて次のＭＲ検査対象の患者に関する検査部位を特定し、前記特定された検査部位から前記テーブルを利用してコイル又は保持具を特定する、
請求項２記載の磁気共鳴イメージングシステム。
【請求項４】
前記設置情報は、コイル又は保持具の設置段階に応じた複数のコンテンツを有し、
前記情報制御部は、設置されたコイルの接続状態に応じて表示対象のコンテンツを前記複数のコンテンツの中から順番に切替える、
請求項３記載の磁気共鳴イメージングシステム。
【請求項５】
前記支援情報は、ＭＲ検査対象の患者を確認するための患者確認情報を含み、
前記検査情報は、前記架台を利用するＭＲ検査の検査スケジュールを含み、
前記情報制御部は、ＭＲ検査対象の患者の切替えが行われた場合、前記検査スケジュールに基づいて次のＭＲ検査対象の患者を特定し、前記特定された患者に関する前記患者確認情報に切替える、
請求項１記載の磁気共鳴イメージングシステム。
【請求項６】
前記情報制御部は、前記天板が患者載置高さに配置されている場合、前記支援情報として現検査の患者に関する患者確認情報を表示し、前記天板が前記架台への挿入可能高さに配置された場合、前記支援情報として前記現検査の患者に関するコイル又は保持具の設置情報を表示し、前記天板が患者降台高さに配置されている場合、前記支援情報として次検査の患者に関するコイル又は保持具の設置情報を表示し、前記天板が前記患者降台高さに配置され且つ前記現検査から前記次検査への切替え指示がされた場合、前記支援情報として前記次検査の患者に関する患者確認情報を表示する、請求項１記載の磁気共鳴イメージングシステム。
【請求項７】
前記情報制御部は、前記天板が前記挿入可能高さに配置され且つコイルが天板に取り付けられていない場合、前記支援情報として前記設置情報を表示し、前記天板が前記挿入可能高さに配置され且つ前記コイルが前記天板に取り付けられている場合、前記支援情報として前記患者が見るための映像を表示する、請求項６記載の磁気共鳴イメージングシステム。
【請求項８】
ＭＲ撮像機構を搭載し、ボアが形成された架台と、
患者を載置する天板を移動自在に支持する寝台と、
ＭＲ検査に関する一連の支援情報を投影する映写機と、
前記ボア内に移動可能に設けられ、前記映写機から投影されたＭＲ検査に関する一連の支援情報を映し出すスクリーンと前記スクリーンに映し出された前記支援情報を反射する反射部とを有するスクリーン装置と、
前記架台を利用するＭＲ検査の検査情報と前記天板の位置とに基づいて前記映写機により投影される前記支援情報を切り替える情報制御部と、
を具備する磁気共鳴イメージングシステム。
【請求項９】
ＭＲ撮像機構を搭載する架台と、
患者を載置する天板を移動自在に支持する寝台と、
前記架台を利用するＭＲ検査の検査情報と前記天板の位置とに基づいて、情報提供部から出力される、ＭＲ検査に関する一連の支援情報を切り替える情報制御部と、
を具備する磁気共鳴イメージング装置。
【請求項１０】
ＭＲ検査に関する一連の支援情報を投影する映写機を制御するコンピュータに、
ＭＲ検査の検査情報と天板の位置とを取得する機能と、
前記映写機から出力される前記支援情報を切り替える機能と、
を実現させる映像投影プログラム。
【発明の詳細な説明】
【技術分野】
【０００１】
本発明の実施形態は、磁気共鳴イメージングシステム、磁気共鳴イメージング装置及び映像投影プログラムに関する。
【背景技術】
【０００２】
スキャンの進行状況や患者をリラックスするための映像等を表示するＸ線コンピュータ断層撮影装置や磁気共鳴イメージング装置が知られている。
【先行技術文献】
【特許文献】
【０００３】
【特許文献１】特開２０１０―０１２３１９号公報
【特許文献２】特開２０１２―００５６８４号公報
【特許文献３】特開２０１５―０３６０５７号公報
【発明の概要】
【発明が解決しようとする課題】
【０００４】
実施形態の目的は、ＭＲ検査のワークフローの改善を可能とする磁気共鳴イメージングシステム、磁気共鳴イメージング装置及び映像投影プログラムを提供することにある。
【課題を解決するための手段】
【０００５】
本実施形態に係る磁気共鳴イメージングシステムは、ＭＲ撮像機構を搭載する架台と、患者を載置する天板を移動自在に支持する寝台と、ＭＲ検査に関する一連の支援情報を提供する情報提供部と、前記架台を利用するＭＲ検査の検査情報と前記天板の位置とに基づいて前記支援情報を切り替える情報制御部と、を具備する。
【図面の簡単な説明】
【０００６】
【図１】図１は、本実施形態に係る磁気共鳴イメージング装置を含む磁気共鳴イメージングシステムの構成を示す図である。
【図２】図２は、図１の磁気共鳴イメージング装置の構成を示す図である。
【図３】図３は、図１の磁気共鳴イメージングシステムの設置環境の一例を示す図である。
【図４】図４は、図１の移動式スクリーン装置の斜視図である。
【図５】図５は、図１の映写機制御装置の構成を示す図である。
【図６】図６は、図５の処理回路による映像投影プログラムに従う映像投影処理の典型的な流れを示す図である。
【図７】図７は、本実施形態に係るトリガ、検査局面及び支援情報を時系列で示す図である。
【図８】図８は、本実施形態に係る現検査の患者に関する第１局面における磁気共鳴イメージングシステム１の配置と支援情報とを示す図である。
【図９】図９は、本実施形態に係る現検査の患者に関する第２局面における磁気共鳴イメージングシステム１の配置と支援情報とを示す図である。
【図１０】図１０は、本実施形態に係る現検査の患者に関する第３局面における磁気共鳴イメージングシステム１の配置と支援情報とを示す図である。
【図１１】図１１は、図１０以後の第３局面における磁気共鳴イメージングシステム１の配置と支援情報とを示す図である。
【図１２】図１２は、図１１以後の第３局面における磁気共鳴イメージングシステム１の配置と支援情報とを示す図である。
【図１３】図１３は、図１２以後の第３局面における磁気共鳴イメージングシステム１の配置と支援情報とを示す図である。
【図１４】図１４は、本実施形態に係る現検査の患者に関する第４局面における磁気共鳴イメージングシステム１の配置と支援情報とを示す図である。
【図１５】図１５は、本実施形態に係る次検査の患者に関する第１局面における磁気共鳴イメージングシステム１の配置と支援情報とを示す図である。
【図１６】本実施形態の変形例に係る磁気共鳴イメージング装置の構成を示す図である。
【発明を実施するための形態】
【０００７】
以下、図面を参照しながら本実施形態に係わる磁気共鳴イメージング装置を説明する。
【０００８】
図１は、本実施形態に係る磁気共鳴イメージング装置１０を含む磁気共鳴イメージングシステム１の構成を示す図である。図１に示すように、磁気共鳴イメージングシステム１は、互いに有線又は無線で通信可能に接続された磁気共鳴イメージング装置１０と映写機１００と映写機制御装置２００とを含む。磁気共鳴イメージング装置１０は、架台１１、寝台１３、移動式スクリーン装置１５及び撮像制御ユニット１７を有する。例えば、架台１１、寝台１３及び移動式スクリーン装置１５は、検査室に設置され、撮像制御ユニット１７は、検査室に隣接する制御室に設置される。架台１１は、ＭＲ撮像を実現するための機構を装備する。架台１１には中空形状を有する開口（ボア）が形成されている。架台１１の前方には寝台１３が設置されている。寝台１３は患者が載置される天板を移動自在に支持する。寝台１３は架台１１及び撮像制御ユニット１７等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【０００９】
映写機制御装置２００は、映写機１００を制御するコンピュータ装置である。映写機制御装置２００は、映写対象の映像信号を映写機１００に供給する。映写機１００は、映写機制御装置２００からの映像信号に対応する映像を移動式スクリーン装置１５のスクリーンに投影する。映写機１００としては、例えば、液晶方式やＤＬＰ（Digital Light Processing）方式、ＬＣＯＳ（Liquid Crystal On Silicon）方式、ＧＬＶ（Grating Light Valve）方式等が用いられると良い。この場合、映写機１００は、少なくとも表示機器と光源とを搭載する。表示機器は、映写機制御装置２００からの映像信号に対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１０】
撮像制御ユニット１７は、磁気共鳴イメージング装置１０の中枢として機能する。例えば、撮像制御ユニット１７は、ＭＲ撮像を行うために架台１１を制御する。また、撮像制御ユニット１７は、ＭＲ撮像において架台１１により収集された生データに基づいて患者Ｐに関するＭＲ画像を再構成する。なお、撮像制御ユニット１７は、映写機制御装置２００を介して映写機１００を制御可能に構成されても良い。
【００１１】
図２は、本実施形態に係る磁気共鳴イメージング装置１０の構成を示す図である。図２に示すように、磁気共鳴イメージング装置１０は、架台１１、寝台１３、移動式スクリーン装置１５、撮像制御ユニット１７及び位置検出器１９を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。
【００１２】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内に本実施形態に係る移動式スクリーン装置１５が配置される。
【００１３】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸及びＺ軸は、直交３次元座標系を構成する。
【００１４】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００１５】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００１６】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。なお、ＲＦコイル４５は、架台１１の筐体内に収容されても良いし、架台１１の筐体外において患者Ｐに接触するように配置されても良いし、その両方であっても良い。以下、ＲＦコイル４５は、特に言及しない限り、架台１１の筐体外に配置されるものとする。
【００１７】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００１８】
受信回路２５は、励起された対象原子核から発生されるＭＲ信号をＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００１９】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動する。寝台駆動装置１３５としては、例えば、サーボモータやステッピングモータ等の如何なるモータが用いられても良い。
【００２０】
位置検出器１９は、磁気共鳴イメージングシステム１に含まれる各種機器の位置を検出する。当該位置の検出対象の機器としては、架台１１、寝台１３、移動式スクリーン装置１５及び他の機器の何れでも良い。例えば、位置検出器１９は、寝台１３又は移動式スクリーン装置１５に含まれる天板１３１、移動台車６１、スクリーン６３、支持アーム６５及び反射板６７等の各種機器の位置を検出し、検出された位置に関するデジタルの電気信号（以下、位置検出信号と呼ぶ）を出力する。なお、位置検出器１９により検出される位置とは、位置そのものだけでなく、位置を規定する角度、距離又は移動量、位置検出器１９による当該機器の検知の有無等の指標も含むものとする。上記位置を検出可能であれば如何なる位置検出器１９も利用可能である。例えば、位置検出器１９としては位置センサや距離センサ、変位センサ、圧力センサ、速度センサ、光センサ、超音波センサ等が利用可能である。位置検出信号は、有線又は無線を介してコンソール２７に供給され、コンソール２７の通信回路３４により映写機制御装置２００に供給される。或いは位置検出信号は、コンソール２７を介さずに映写機制御装置２００に供給されても良い。
【００２１】
撮像制御回路３１は、ハードウェア資源として、ＣＰＵ（Central Processing Unit）あるいはＭＰＵ（Micro Processing Unit）のプロセッサとＲＯＭ（Read Only Memory）やＲＡＭ（Random Access Memory）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００２２】
再構成回路３２は、ハードウェア資源として、ＣＰＵやＧＰＵ（Graphical processing unit）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。なお再構成回路３２は、再構成機能を実現する特定用途向け集積回路（Application Specific Integrated Circuit：ＡＳＩＣ）やフィールド・プログラマブル・ゲート・アレイ（Field Programmable Gate Array：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００２３】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００２４】
通信回路３４は、図示しない有線又は無線を介して映写機制御装置２００との間でデータ通信を行う。また、通信回路３４は、図示しないネットワーク等を介して接続されたＰＡＣＳサーバ等の外部装置との間でデータ通信を行っても良い。また、通信回路３４は、位置検出器１９から供給された位置検出信号を映写機制御装置２００に供給しても良い。
【００２５】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される支援情報と同一の支援情報を表示しても良い。具体的には、表示回路３５は、表示インタフェース回路と表示機器とを有する。表示インタフェース回路は、表示対象を表すデータを映像信号に変換する。表示信号は、表示機器に供給される。表示機器は、表示対象を表す映像信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２６】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００２７】
主記憶回路３７は、種々の情報を記憶するＨＤＤ（hard disk drive）やＳＳＤ（solid state drive）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００２８】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００２９】
以下、本実施形態の磁気共鳴イメージングシステム１について詳細に説明する。
【００３０】
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。検査室３００には架台１１と寝台１３とが設置されている。架台１１の前方に寝台１３が設けられている。架台１１のボアには移動式スクリーン装置１５が設けられている。検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。制御室４００にはコンソール２７と映写機１００と映写機制御装置２００とが設置されている。映写機１００は、検査室３００と制御室４００との間の壁５００を隔てて架台１１の後方に設置される。壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００３１】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００３２】
次に図４を参照しながら移動式スクリーン装置１５の構造について説明する。図４は、本実施形態に係る移動式スクリーン装置１５の斜視図である。
【００３３】
図４に示すように、移動式スクリーン装置１５は、移動台車６１、スクリーン６３、支持アーム６５及び反射板６７を有する。移動台車６１は、架台筐体５１のボア５３の中心軸に沿って移動する構造体である。例えば、移動台車６１は、架台筐体５１のボア５３を規定する内面下部に設けられたレールに摺動可能に取り付けられる。移動台車６１の下部には走行性を高めるための車輪（図示せず）が取り付けられても良い。移動台車６１は、スクリーン６３と支持アーム６５とを支持する。移動台車６１は、樹脂等の磁場に作用しない非磁性材料により形成される。
【００３４】
図４に示すように、移動台車６１には天板１３１に連結するための連結部６９が形成されている。連結部６９は天板１３１に連結される。これにより移動式スクリーン装置１５が天板１３１と一体にボア５３内を中心軸に沿ってスライドすることができる。なお、連結部６９は、天板１３１ではなく頭部保持具（図示せず）に連結されても良い。頭部保持具は、天板１３１の前方部（＋Ｚ軸方向側）に取り付けられている。頭部保持具は、天板に載置された患者Ｐの頭部を固定する患者保持具である。頭部保持具は、天板１３１に仰向けに載置された患者Ｐの視界を遮ることのなく後頭部を覆うことが可能なように、例えば、湾曲形状を有している。また、頭部保持具には頭部コイル等の専用のＲＦコイル４５が取り付けられても良い。更に、天板１３１には患者の頭部以外の部位を保持するための患者保持具が設けられても良い。患者保持具に当該部位に特化したＲＦコイル４５を取り付けることができる。
【００３５】
図４に示すように、スクリーン６３は、移動台車６１に立設されている。スクリーン６３には図示しない映写機１００から照射された支援情報が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。映写機１００は、スクリーン６３を挟んで寝台１３とは反対側に配置される。ここで、スクリーン６３の映写機１００側の面を裏面、寝台１３側の面を表面と呼ぶことにする。表面に支援情報を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から出力された投影光はスクリーンの裏面に照射され、投影光に対応する支援情報が表面に映し出される。これにより患者Ｐや医療従事者等は、寝台１３側から、支援情報に映し出された映像を見ることができる。スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された支援情報、より詳細には、リラックス映像で満たし、リラックス映像に没入させることが可能となる。
【００３６】
図４に示すように、支持アーム６５は移動台車６１に取り付けられる。支持アーム６５は、反射板６７をスクリーン６３の表面側の空間に配置するように支持する。反射板６７は、移動台車６１と天板１３１とが連結されている状態において、天板１３１に載置された患者Ｐの頭部にぶつからない程度に、移動台車６１の表面から離間して支持アーム６５により支持される。支持アーム６５は、架台１１の外部からスクリーン６３を見た場合に当該外部観察者の視界を遮らないような形状を有している。当該外部観察者の視界を遮らないため、支持アーム６５は、図４に示すように、スクリーン６３の輪郭に沿った円弧部分を有する半環形状又は半鞍形状を有すると良い。なお支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００３７】
図４に示すように、反射板６７は、支持アーム６５の略最上部に設けられている。反射板６７は、スクリーン６３の表面に映し出された支援情報を反射する。反射板６７は、非磁性材料により形成され、対象を光学的に反射可能であれば如何なる素材により形成されても良い。例えば、反射板６７としては、アクリルにアルミ蒸着処理を施した鏡や誘電体膜を付着させたハーフミラー等が用いられれば良い。頭部保持具に頭部が配置された患者Ｐは、表面に投影された支援情報を、反射板６７を介して見ることができる。反射板６７は、患者Ｐにより反射板６７の角度を手動で調整するために、支持アーム６５に回転可能に設けられている。
【００３８】
上記の通り、本実施形態に係る架台１１のボア５３には、移動式スクリーン装置１５が設置されている。移動式スクリーン装置１５が寝台側の端部に配置されている場合、移動式スクリーン装置１５に映し出されている支援情報は、主に架台１１外にいる患者Ｐや医療従事者等により観察される。移動式スクリーン装置１５がボア５３内に配置されている場合、移動式スクリーン装置１５に映し出されている支援情報は、主にボア５３内に挿入された天板１３１に寝ている患者Ｐにより観察される。
【００３９】
図５は、本実施形態に係る映写機制御装置２００の構成を示す図である。図１５に示すように、本実施形態に係る映写機制御装置２００は、処理回路２１０、支援情報記憶回路２２０、通信回路２３０、表示回路２４０、入力回路２５０、主記憶回路２６０及び接続回路２７０を有する。処理回路２１０、支援情報記憶回路２２０、通信回路２３０、表示回路２４０、入力回路２５０、主記憶回路２６０及び接続回路２７０は、バスを介して互いに通信可能に接続されている。
【００４０】
支援情報記憶回路２２０は、移動式スクリーン装置１５に投影される、ＭＲ検査に関する一連の支援情報に関する映像データを記憶する。支援情報は、ＭＲ検査における一連の局面（以下、検査局面）において患者Ｐや医療従事者等を広く支援するための映像情報である。支援情報は検査局面に応じて患者確認情報、コイル設置情報及びリラックス映像が用意されている。例えば、患者確認情報は、患者Ｐが検査室に入室する検査局面において移動式スクリーン装置１５に映し出される。患者確認情報は、撮影室に入室した患者がＭＲ検査対象の患者と同一であるかを確認するための映像データである。コイル設置情報は、例えば、ボア５３外において患者Ｐが天板１３１に寝ている検査局面において移動式スクリーン装置１５に映し出される。コイル設置情報は、医療従事者が検査部位又は検査目的に応じたＲＦコイル４５又は患者固定具を天板１３１等に設置するための手順を示す映像データである。映像は、例えば、ボア５３内において患者Ｐが天板１３１に寝ている検査局面において移動式スクリーン装置１５に映し出される。リラックス映像は、ＭＲ撮像時において患者Ｐをリラックスさせ、ボア５３内における居住性を高めるための映像データである。なお、支援情報は、一枚のフレームから構成される静止画であっても良いし、時系列で配列された複数枚のフレームから構成される動画でも良い。
【００４１】
通信回路２３０は、図示しない有線又は無線を介してコンソール２７又は他のコンピュータとの間でデータ通信を行う。例えば、通信回路２３０は、磁気共鳴イメージング装置１０から種々の情報を受信する。
【００４２】
表示回路２４０は、種々の情報を表示する。例えば、表示回路２４０は、映写機１００に供給される映像信号に対応する支援情報をリアルタイムで表示する。具体的には、表示回路２４０は、表示インタフェース回路と表示機器とを有する。表示インタフェース回路は、表示対象の支援情報に関する映像データを映像信号に変換する。映像信号は、表示機器に供給される。表示機器は、表示対象の映像信号を表示する。表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００４３】
入力回路２５０は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号をバスを介して処理回路２１０に供給する。
【００４４】
主記憶回路２６０は、種々の情報を記憶するＨＤＤやＳＳＤ、集積回路記憶装置等の記憶装置である。また、主記憶回路２６０は、ＣＤ−ＲＯＭドライブやＤＶＤドライブ、フラッシュメモリ等の可搬性記憶媒体との間で種々の情報を読み書きする駆動装置等であっても良い。例えば、主記憶回路２６０は、本実施形態に係る映像投影プログラム等を記憶する。
【００４５】
接続回路２７０は、図示しない有線又は無線を介して映写機１００に映像信号を供給するインタフェース回路である。接続回路２７０は、映写機１００の映写方式に応じてアナログの映像信号を供給しても良いし、デジタルの映像信号を供給しても良い。以下、本実施形態に係る映写機１００に供給される映像信号についてアナログの映像信号とデジタルの映像信号とを区別せず単に映像信号と呼ぶことにする。
【００４６】
処理回路２１０は、ハードウェア資源として、ＣＰＵやＧＰＵ、ＭＰＵ等のプロセッサとＲＯＭやＲＡＭ等のメモリとを有する。処理回路２１０は、映写機制御装置２００の中枢として機能する。処理回路２１０は、主記憶回路２６０に記憶されている映像投影プログラムを読み出してメモリ上に展開し、展開された映像投影プログラムを実行する。映像投影プログラムは、入力回路２５０を介した医療従事者等による開始指示を受けて処理回路２１０により主記憶回路２６０から読み出され実行される。
【００４７】
映写投影プログラムの実行により処理回路２１０は、ＭＲ検査の検査情報と天板１３１の位置とに基づいて、映写機１００により投影される支援情報を切り替える。検査情報としては、例えば、ＲＩＳ等により管理されている、架台１１毎のＭＲ検査の検査スケジュールが挙げられる。より詳細には、処理回路２１０は、天板１３１が患者載置高さに配置されている場合、支援情報として現検査の患者に関する患者確認情報を表示し、天板１３１が挿入可能高さに配置された場合、支援情報として現検査の患者に関するコイル設置情報を表示し、天板１３１が患者降台高さに配置されている場合、支援情報として次検査の患者に関するコイル設置情報を表示し、天板１３１が患者降台高さに配置され且つ現検査から次検査への患者の切替え指示がされた場合、支援情報として次検査の患者に関する患者確認情報を表示する。具体的には、処理回路２１０は、映写投影プログラムの実行によりトリガ取得機能２１１、検査局面判定機能２１３、支援情報決定機能２１５及び支援情報出力機能２１７を実現する。なお、処理回路２１０は、天板１３１が患者降台高さに配置されている場合、更に移動式スクリーン装置１５が天板１３１又は患者保持具に取付けられているか否かに応じて支援情報を、コイル設置情報とリラックス映像とで切替えても良い。
【００４８】
図６は、処理回路２１０による映像投影プログラムに従う映像投影処理の典型的な流れを示す図である。なお、位置検出器１９は、映像投影処理の開始以前から天板１３１の位置を繰り返し検出しているものとする。
【００４９】
図６に示すように、処理回路２１０は、まずトリガ取得機能２１１を実行する（ステップＳ１）。トリガ取得機能２１１の実行により処理回路２１０は、検査局面判定機能２１３における検査局面の判定に使用されるトリガの入力を待機する。トリガとしては、例えば、位置検出器１９により検出された天板１３１の高さ位置と磁気共鳴イメージング装置１０の入力回路３６を介して医療従事者により行われる患者切替指示とが挙げられる。また処理回路２１０は、トリガとして、移動式スクリーン装置１５が天板１３１又は患者保持具に取り付けられたことを示す電気信号（以下、取付け信号と呼ぶ）、移動式スクリーン装置１５が天板１３１又は患者保持具から取り外されたことを示す電気信号（以下、取外し信号と呼ぶ）の入力を待機する。
【００５０】
ステップＳ１においてトリガが入力されたことを契機として処理回路２１０は、検査局面判定機能２１３を実行する（ステップＳ２）。ステップＳ２において処理回路２１０は、トリガ取得機能２１１により取得されたトリガに基づいて現在の検査局面を判定する。検査局面としては、順番に第１局面、第２局面、第３局面及び第４局面がある。第１局面は、天板１３１が、患者Ｐが天板１３１に載置された時の高さ（以下、患者載置高さと呼ぶ）又はその近傍に配置され、且つ移動式スクリーン装置１５が天板１３１に装着されていない局面である。第２局面は、天板１３１が、ボア５３内に挿入可能な高さ（以下、挿入可能高さと呼ぶ）に配置され、且つ移動式スクリーン装置１５が天板１３１に装着されていない局面である。第３局面は、天板１３１が挿入可能高さに配置され、且つ移動式スクリーン装置１５が天板１３１に装着されている局面である。第４局面は、天板１３１が、患者Ｐが天板１３１から降りる時の高さ（以下、患者降台高さと呼ぶ）に配置され、且つ移動式スクリーン装置１５が天板１３１から取り外されている局面である。
【００５１】
ステップＳ２において処理回路２１０は、患者切替指示が入力された場合、支援情報による支援対象の患者を現検査の患者に切替える。患者切替指示後において処理回路２１０は、天板１３１が患者載置高さにあることを示す位置信号が取得され、且つ取付け信号が取得されていない（あるいは取外し信号が取得されている）場合、検査局面が第１局面であると判定する。処理回路２１０は、天板１３１が挿入可能高さにあることを示す位置信号が取得され、且つ取付け信号が取得されていない（あるいは取外し信号が取得されている）場合、検査局面が第２局面であると判定する。処理回路２１０は、天板１３１が挿入可能高さにあることを示す位置信号が取得され、且つ取付け信号が取得されている（あるいは取外し信号が取得されていない）場合、検査局面が第３局面であると判定する。処理回路２１０は、天板１３１が患者降台高さにあることを示す位置信号が取得され、且つ取付け信号が取得されていない（あるいは取外し信号が取得されている）場合、検査局面が第４局面であると判定する。
【００５２】
ステップＳ２が行われると処理回路２１０は、支援情報決定機能２１５を実行する（ステップＳ３）。ステップＳ３において処理回路２１０は、検査局面判定機能２１３により判定された検査局面に対応する支援情報を、ＭＲ検査の検査情報に基づいて決定する。具体的には、まず処理回路２１０は、判定された検査局面に対応する支援情報の種類を、患者確認情報とコイル設置情報とリラックス映像との中から決定する。典型的には、検査局面と支援情報の種類は一対一に対応付けられている。すなわち、第１局面の支援情報は現検査の患者についての患者確認情報、第２局面の支援情報は現検査の患者についてのコイル設置情報、第３局面の支援情報は現検査の患者についてのリラックス映像、第４局面の支援情報は次検査の患者についてのコイル設置情報である。次に処理回路２１０は、決定した支援情報のコンテンツを検査情報に基づいて決定する。検査情報としては、例えば、ＲＩＳ等により管理されている、架台１１毎のＭＲ検査の検査スケジュールが挙げられる。検査スケジュールには検査日毎に検査の時間割、当該検査の検査対象の患者情報と検査部位とが登録されている。患者情報としては、患者名や生年月日が含まれている。例えば、処理回路２１０は、患者情報に基づいて患者確認情報のコンテンツを決定する。また、検査スケジュールにより管理されている検査部位に基づいて、コイル設置情報のコンテンツを決定する。
【００５３】
ステップＳ３が行われると処理回路２１０は、支援情報出力機能２１７を実行する（ステップＳ４）。ステップＳ４において処理回路２１０は、支援情報決定機能２１５により決定された支援情報の映像信号を、接続回路２７０を介して映写機１００に出力する。当該支援情報の映像信号を受信した映写機１００は、当該支援情報を移動式スクリーン装置１５のスクリーン６３に投影する。
【００５４】
以上により、処理回路２１０により行われる映像投影処理の流れについての説明を終了する。
【００５５】
上記の映像投影処理によれば、本実施形態に係る磁気共鳴イメージングシステム１は、ＭＲ検査の検査情報、天板１３１の上下位置及び患者の切替の有無に基づいて、検査局面及び患者に応じた適切な支援情報を自動的に決定し、決定された支援情報を患者や医療従事者に提示させることができる。
【００５６】
次に、図７−１５を参照しながら、本実施形態に係る磁気共鳴イメージングシステム１の実施例について説明する。図７は、本実施形態に係るトリガ、検査局面及び支援情報を時系列で示す図である。図８は、本実施形態に係る現検査の患者に関する第１局面における磁気共鳴イメージングシステム１の配置と支援情報とを示す図である。図９は、本実施形態に係る現検査の患者に関する第２局面における磁気共鳴イメージングシステム１の配置と支援情報とを示す図である。図１０は、本実施形態に係る現検査の患者に関する第３局面における磁気共鳴イメージングシステム１の配置と支援情報とを示す図である。図１１は、図１０以後の第３局面における磁気共鳴イメージングシステム１の配置と支援情報とを示す図である。図１２は、図１１以後の第３局面における磁気共鳴イメージングシステム１の配置と支援情報とを示す図である。図１３は、図１２以後の第３局面における磁気共鳴イメージングシステム１の配置と支援情報とを示す図である。図１４は、本実施形態に係る現検査の患者に関する第４局面における磁気共鳴イメージングシステム１の配置と支援情報とを示す図である。図１５は、本実施形態に係る次検査の患者に関する第１局面における磁気共鳴イメージングシステム１の配置と支援情報とを示す図である。なお、以下の実施例において処理回路２１０は、図６に示す映像投影プログラムに従う映像投影処理を実行しているものとする。
【００５７】
まず、患者Ｐが検査室に入室する。なお、患者Ｐが検査室に入室している時点において、磁気共鳴イメージング装置１０のシステム制御回路３８により、コンソール２７において現検査の検査対象であると認識されている患者（設定患者）が患者Ｐに切替えられているものとする。設定患者の切替えは、例えば、磁気共鳴イメージング装置１０の表示回路３５により表示される検査管理画面において、医療従事者等により入力回路３６を介して行われる。検査管理画面においては、例えば、架台１１において実行されるＭＲ検査の一覧である検査スケジュールが表示され、入力回路３６を介して所定のＭＲ検査が指定されると、指定されたＭＲ検査に関する患者情報や検査部位、撮影プロトコルが表示される。医療従事者は、表示された患者情報や検査部位、撮影プロトコルを確認し、ＭＲ撮像の実行準備が整ったと判断すると、当該検査管理画面に表示されているＥｘａｍボタンを押下する。Ｅｘａｍボタンが押下されることを契機として、設定患者が当該ＭＲ検査の患者Ｐに切り替えられる。
【００５８】
図８の（ａ）に示すように、移動式スクリーン装置１５はボア５３の寝台側端部に配置されている。患者Ｐの入室時点において天板１３１は、典型的には、患者載置高さＨ１に配置されている。天板１３１の上には、現検査に用いるＲＦコイル（例えば、コイルＡの）、典型的には、患者Ｐと天板１３１との間に設置される後部コイルが既に設置されているものとする。また、天板１３１には移動式スクリーン装置１５が接続されていない。この場合、処理回路２１０は、天板１３１が患者載置高さＨ１にあることを示す位置信号を取得し、取付け信号を取得していないので、検査局面が第１局面であると判定し、投影対象の支援情報が現検査の患者（設定患者）に関する患者確認情報であると判定する。
【００５９】
図８の（ｂ）に示すように、患者確認情報Ｉ１は、現検査の患者（設定患者）の患者名や生年月日等の患者情報を確認するための映像である。具体的には、患者確認情報Ｉ１として、「あなたは〇〇〇〇さん、昭和××年Ｍ月Ｄ日生まれ、ですね？」の文字列が含まれる。患者確認情報Ｉ１に含まれる患者情報は、上記の通り、現検査に関する設定患者の患者情報に基づいて処理回路２１０により決定される。患者確認情報Ｉ１が決定されると、処理回路２１０は、当該患者確認情報を、映写機１００を介して移動式スクリーン装置１５のスクリーン６３に投影する。これにより、入室した患者自身が現検査の検査対象の患者であるか否かを確認することができる。
【００６０】
その後、患者Ｐは天板１３１の上に乗り、天板１３１の上に寝る。そして技師等の医療従事者は、磁気共鳴イメージング装置１０の入力回路３６を操作して天板１３１の上昇指示を入力する。上昇指示が入力されると撮像制御回路３１は、寝台駆動装置１３５を制御し天板１３１を挿入可能高さまで上昇させる。
【００６１】
図９の（ａ）に示すように、天板１３１は、挿入可能高さＨ２に配置される。この場合、処理回路２１０は、天板１３１が挿入可能高さＨ２にあることを示す位置信号を取得し、取付け信号を取得しないので、検査局面が第２局面であると判定し、投影対象の支援情報が現検査の患者（設定患者）に関するコイル設置情報Ｉ２であると判定する。
【００６２】
図９の（ｂ）に示すように、コイル設置情報Ｉ２は、現検査に用いるＲＦコイル４５及び患者保持具の少なくとも一方の設置手順を示す映像である。具体的には、コイル設置情報Ｉ２は、ＲＦコイル４５及び患者保持具の少なくとも一方の設置段階に応じた複数のコンテンツを有している。例えば、頭部コイルの設置段階としては、１．後部コイルにパッドを敷き詰める段階、２．天板１３１に患者を寝かせる段階、３．後部コイルと患者頭部との間にパッドを敷き詰める段階、４．後部コイルに前部コイルを取り付ける段階、等がある。各コンテンツは、各設置段階におけるＲＦコイル４５及び患者保持具の少なくとも一方の設置に関する説明文と設置状況を示す写真とを含む。従って、例えば、設置段階１に関するコンテンツとしては「コイルＡにパッドを敷き詰めて下さい」の説明文と、コイルＡの後部コイルにパッドを敷き詰めている状況が映し出された写真１とを含む。設置段階２に関するコンテンツとしては「患者さんを寝かせて下さい」の説明文と、患者を天板１３１に寝かせている状況が映し出された写真２とを含む。設置段階３に関するコンテンツとしては「パッドを詰めて下さい」の説明文と、コイルＡと患者頭部との隙間にパッドを詰めている状況が映し出された写真３とを含む。設置段階４に関するコンテンツとしては「Anteriorコイルを付けて下さい」の説明文と、後部コイルに前部コイル（Anteriorコイル）を付けている状況が映し出された写真２とを含む。
【００６３】
コイル設置情報Ｉ２の説明対象のコイルは、現検査の検査情報に含まれる検査部位に基づいて決定される。例えば、処理回路２１０は、ＲＦコイルと当該ＲＦコイルに適した検査部位とを関連づけたコイル／部位対応テーブルを利用して、現検査の検査部位から説明対象のコイルを決定する。コイル／部位対応テーブルは、例えば、支援情報記憶回路２２０に記憶されている。説明対象のＲＦコイルが決定されると処理回路２１０は、当該ＲＦコイルに対応するコイル設置情報を支援情報記憶回路２２０から読み出す。そして、処理回路２１０は、当該コイル設置情報を、映写機１００を介して移動式スクリーン装置１５のスクリーン６３に投影する。技師等の医療従事者は、スクリーン６３に映し出されたコイル設置情報を見ながら、ＲＦコイル４５の設置作業を行うことができる。
【００６４】
なお、コイル設置情報Ｉ２は、図９の（ｂ）に示すように、全ての設置段階に亘る複数のコンテンツが一フレームに描写されるとした。しかしながら、一フレームに一設置段階のコンテンツが描写されても良い。この場合、処理回路２１０は、トリガ取得機能２１１として、ＲＦコイル４５及び患者保持具の少なくとも一方の接続状態に応じた電気信号（以下、接続信号）を検出し、接続信号の検出に伴いコイル設置情報の表示対象のコンテンツを切替える。ＲＦコイル４５の接続状態としては、例えば、ＲＦコイル４５が天板１３１に取付けられていないがシステムには設定されている第１接続状態、ＲＦコイル４５の後部コイルが天板１３１に取付けられているが前部コイルが取り外されている第２接続状態、後部コイルが天板１３１に取付けられ且つ前部コイルが後部コイルに取付けられている第３接続状態がある。後部コイルが天板１３１に取付けられた場合、ＲＦコイル４５等から第１の接続信号が映写機制御装置２００に出力され、前部コイルに後部コイルが取付けられた場合、ＲＦコイル４５等から第２の接続信号が映写機制御装置２００に出力される。
【００６５】
第１の接続信号及び第２の接続信号の両方が取得されていない場合、処理回路２１０は、現在の接続状態が第１接続状態であると判定し、第１接続状態に対応するコンテンツを表示対象のコンテンツに決定する。そして処理回路２１０は、第１接続状態に対応するコンテンツに関する１フレームの支援情報を、映写機１００を介して移動式スクリーン装置１５のスクリーン６３に投影する。第１の接続信号が取得され第２の接続信号が取得されていない場合、処理回路２１０は、現在の接続状態が第２接続状態であると判定し、第２接続状態に対応するコンテンツを表示対象のコンテンツに決定する。そして処理回路２１０は、第２接続状態に対応するコンテンツに関する１フレームの支援情報を、映写機１００を介して移動式スクリーン装置１５のスクリーン６３に投影する。第１の接続信号及び第２の接続信号の両方が取得されている場合、処理回路２１０は、現在の接続状態が第３接続状態であると判定し、第３接続状態に対応するコンテンツを表示対象のコンテンツに決定する。そして処理回路２１０は、第３接続状態に対応するコンテンツに関する１フレームの支援情報を、映写機１００を介して移動式スクリーン装置１５のスクリーン６３に投影する。これにより、処理回路２１０は、現在の接続状態を共に、現在の接続状態に対応するコイルの設置方法を医療従事者等に知らせることができる。
【００６６】
ＲＦコイル４５の設置が完了すると、図１０の（ａ）に示すように、移動式スクリーン装置１５が天板１３１又は患者保持具に装着される。移動式スクリーン装置１５が天板１３１又は患者保持具に装着されると、移動式スクリーン装置１５等から取付け信号が映写機制御装置２００に供給される。例えば、移動式スクリーン装置１５の連結部６９が天板１３１又は患者保持具に連結されたことを契機として、寝台１３、患者保持具又は移動式スクリーン装置１５から取付け信号が出力される。図１０の（ａ）の配置の場合、処理回路２１０は、天板１３１が挿入可能高さＨ２にあることを示す位置信号を取得し、且つ取付け信号を取得しているので、検査局面が第３局面であると判定し、投影対象の支援情報がリラックス映像Ｉ３であると判定する。処理回路２１０は、投影対象のリラックス映像Ｉ３を、支援情報記憶回路２２０から読み出し、図１０の（ｂ）に示すように、映写機１００を介して移動式スクリーン装置１５のスクリーン６３に投影する。投影対象のリラックス映像Ｉ３は、リラックス効果を有する如何なる映像であっても良いが、例えば、図１０の（ｂ）に示すように、珊瑚礁が分布する海中を泳ぐ魚の映像が用いられると良い。投影対象のリラックス映像Ｉ３は、患者Ｐや医療従事者等の好みに応じて任意に設定されれば良い。
【００６７】
なお、第３局面において投影される支援情報は、リラックス効果を有する映像に限定されず、如何なる心理的効果を与える映像であっても良い。また、第３局面において投影される支援情報は、患者情報や検査情報等でも良い。
【００６８】
移動式スクリーン装置１５が天板１３１又は保持具に装着されると医療従事者は、入力回路３６を介して天板１３１の挿入指示を入力する。挿入指示が入力されると撮像制御回路３１は、図１１の（ａ）に示すように、天板１３１をボア５３内に移動させる。そして患者Ｐの検査部位が撮影位置に配置されると天板１３１が停止される。天板１３１が停止し、撮影開始指示が入力回路３６を介して入力されると撮像制御回路３１は、傾斜磁場電源２１、送信回路２３及び受信回路２５を制御してＭＲ撮像を行う。この間、処理回路２１０は、図１１の（ｂ）に示すように、リラックス映像Ｉ３を、映写機１００を介して移動式スクリーン装置１５のスクリーン６３に投影している。ＭＲ撮像が終了した場合、医療従事者は、入力回路３６を介して天板１３１の退避指示を入力する。
【００６９】
退避指示が入力されると撮像制御回路３１は、図１２の（ａ）に示すように、天板１３１をボア５３の寝台側端部に移動させる。この間、処理回路２１０は、図１２の（ｂ）に示すように、リラックス映像Ｉ３を、映写機１００を介して移動式スクリーン装置１５のスクリーン６３に投影している。
【００７０】
天板１３１がボア５３の寝台側端部に配置されると、図１３の（ａ）に示すように、医療従事者等により移動式スクリーン装置１５が天板１３１又は保持具から取り外される。この間、処理回路２１０は、図１３の（ｂ）に示すように、リラックス映像Ｉ３を、映写機１００を介して移動式スクリーン装置１５のスクリーン６３に投影している。
【００７１】
移動式スクリーン装置１５が取り外されると、医療従事者は、入力回路３６を介して天板１３１の下降指示を入力する。下降指示が入力されると撮像制御回路３１は、図１４の（ａ）に示すように、天板１３１を患者降台高さＨ３まで下降させる。天板１３１が患者降台高さＨ３に配置されると患者Ｐは、天板１３１から降り検査室を退室する。そして医療従事者は、現検査のために取り付けられていたＲＦコイル４５（コイルＡ）を取り外し、次検査のためのＲＦコイル４５（コイルＢ）を天板１３１に取り付けることとなる。例えば、移動式スクリーン装置１５の連結部６９が天板１３１又は患者保持具から解放されたことを契機として、寝台１３、保持具又は移動式スクリーン装置１５から取外し信号が出力される。
【００７２】
天板１３１が患者降台高さＨ３に配置された場合、処理回路２１０は、天板１３１が患者降台高さＨ３にあることを示す位置信号を取得し、且つ取外し信号を取得しているので、検査局面が第４局面であると判定し、投影対象の支援情報が次検査の患者に関するコイル設置情報Ｉ４であると判定する。図１４の（ｂ）に示すように、コイル設置情報Ｉ４は、次検査の患者に使用されるＲＦコイル４５の設置手順を示す映像である。コイル設置情報Ｉ４の説明対象のコイルは、次検査の検査情報に含まれる検査部位に基づいて決定される。例えば、処理回路２１０は、検査スケジュールを参照して現検査の次のＭＲ検査を特定し、特定された次検査の検査情報から検査部位を特定する。そして処理回路２１０は、上記のコイル／部位対応テーブルを利用して、次検査の検査部位から説明対象のコイルを決定する。説明対象のコイルが決定されると処理回路２１０は、当該コイルに対応するコイル設置情報を支援情報記憶回路２２０から読み出す。そして、処理回路２１０は、当該コイル設置情報を、映写機１００を介して移動式スクリーン装置１５のスクリーン６３に投影する。技師等の医療従事者は、スクリーン６３に映し出されたコイル設置情報を見ながら、次検査のためのＲＦコイル４５の設置作業を行うことができる。なお、この段階では、まだ天板１３１に患者が載置されていないので、ＲＦコイル４５の後部コイル又は患者保持具の取付け作業が行われ、前部コイルの取付け作業は行われない。
【００７３】
医療従事者は、次検査のためのＲＦコイル４５の設置作業を行うと、コンソール２７の入力回路３６を介して、患者の切替指示を行う。例えば、次検査の患者に関する患者情報や検査情報の入力及び確認をし終え、Ｅｘａｍボタンを押下することにより行われる。これにより設定患者が現検査の患者から次検査の患者に切り替えられる。そして、医療従事者は、図１５の（ａ）に示すように、天板１３１が患者載置高さＨ１に配置されるように入力回路３６を操作する。この場合、処理回路２１０は、天板１３１が患者載置高さＨ１にあることを示す位置信号が取得され、且つ取付け信号が取得されていないので、検査局面が第１局面であると判定し、投影対象の支援情報が次検査の患者（設定患者）に関する患者確認情報Ｉ１であると判定する。患者確認情報Ｉ１に含まれる患者情報は、次検査の検査情報に基づいて処理回路２１０により決定される。患者確認情報Ｉ１に含まれる患者情報の決定方法は、図８の（ｂ）の患者確認情報Ｉ１と同様なので説明を省略する。患者確認情報Ｉ１が決定されると、処理回路２１０は、図１５の（ｂ）に示すように、当該患者確認情報Ｉ１を、映写機１００を介して移動式スクリーン装置１５のスクリーン６３に投影する。これにより、入室した患者自身が次検査の検査対象の患者であるか否かを確認することができる。
【００７４】
以後、次検査の患者についても同様に、図８−図１５に示す支援情報の切替が行われる。
【００７５】
以上、処理回路２１０による映像投影プログラムに従う映像投影処理の典型的な流れの説明を終了する。
【００７６】
なお、上記の処理の流れは一例であり、これに限定されない。例えば、上記実施例においてリラックス映像Ｉ３からコイル設置情報Ｉ４への切替は、天板１３１が患者降台高さＨ３に配置されたことを契機として行われるものとした。しかしながら、本実施形態はこれに限定されない。例えば、天板１３１が患者降台高さＨ３に向けて降下し始めたこと、移動式スクリーン装置１５からＲＦコイル４５が取り外されたこと等を契機としてリラックス映像Ｉ３からコイル設置情報Ｉ４に切替えられても良い。
【００７７】
また、上記実施例においてリラックス映像の出力の契機となる取付け信号は、移動式スクリーン装置１５が天板１３１又は患者保持具に取付けられたことを契機として出力されるものとした。しかしながら、取付け信号は、例えば、反射板６７の角度の切替や支持アーム６５の引き出しを契機として移動式スクリーン装置１５から出力されても良いし。天板１３１のボア５３内への移動等を契機として寝台１３から出力されても良い。
【００７８】
（変形例１）
上記実施形態において磁気共鳴イメージングシステム１は、映写機１００を制御する映写機制御装置２００を、撮像制御ユニット１７とは別体で装備するものとした。しかしながら、本実施形態はこれに限定されない。変形例１に係る磁気共鳴イメージングシステム２は、映写機制御装置２００を有さず、磁気共鳴イメージング装置１０と映写機１００とを有する。以下、変形例１に係る磁気共鳴イメージングシステムについて説明する。なお以下の説明において、本実施形態と略同一の機能を有する構成要素については、同一符号を付し、必要な場合にのみ重複説明する。
【００７９】
図１６は、変形例１に係る磁気共鳴イメージング装置２０の構成を示す図である。図１６に示すように、磁気共鳴イメージング装置２０は、架台１１、寝台１３、移動式スクリーン装置１５、撮像制御ユニット１８及び位置検出器１９を有する。撮像制御ユニット１８は、傾斜磁場電源２１、送信回路２３、受信回路２５及びコンソール２８を有する。コンソール２８は、撮像制御回路３１、再構成回路３２、画像処理回路３３、通信回路３４、表示回路３５、入力回路３６、主記憶回路３７、システム制御回路３９、支援情報記憶回路２２０及び接続回路２７０を有する。撮像制御回路３１、再構成回路３２、画像処理回路３３、通信回路３４、表示回路３５、入力回路３６、主記憶回路３７、システム制御回路３９、支援情報記憶回路２２０及び接続回路２７０は、互いにバスを介して通信可能に接続されている。
【００８０】
接続回路２７０は、図示しない有線又は無線を介して映写機１００に映像信号を供給するインタフェース回路である。システム制御回路３９は、本実施形態に係るシステム制御回路３８と同様の機能に加え、本実施形態に係る映写機制御装置２００が備えるトリガ取得機能２１１、検査局面判定機能２１３、支援情報決定機能２１５及び支援情報出力機能２１７を実現する。トリガ取得機能２１１、検査局面判定機能２１３、支援情報決定機能２１５及び支援情報出力機能２１７は、例えば、主記憶回路３７に記憶される本実施形態に係る映像投影プログラムを読み出してメモリ上に展開することにより実行される。各機能２１１、２１３、２１５及び２１７については上記の実施形態と同様なので説明を省略する。
【００８１】
上記の構成により、コンソール２７から映写機１００に映像信号を供給することができる。また、コンソール２７においてトリガ取得機能２１１、検査局面判定機能２１３、支援情報決定機能２１５及び支援情報出力機能２１７を実行することができる。よって本実施形態に係る磁気共鳴イメージングシステム１に比して変形例に係る磁気共鳴イメージングシステム２は、簡易な構成とすることができる。
【００８２】
（変形例２）
上記の実施形態において支援情報は、映写機１００から移動式スクリーン装置１５に投影されるものとした。しかしながら、本実施形態はこれに限定されない。例えば、変形例２に係る磁気共鳴イメージングシステム１又は２において、映写機１００に代えて表示機器が設けられても良い。当該表示機器は、天板１３１に載置された患者等が反射板６７を介して当該表示機器に表示された支援情報を視認可能な位置に設けられる。例えば、当該表示機器は、図３に示す検査室３００と制御室４００との間の壁５００に取り付けられると良い。この場合、移動式スクリーン装置１５からスクリーン６３が取り外される。これにより、天板１３１に載置された患者等が反射板６７を介して、壁５００に取り付けられた当該表示機器に表示された支援情報、特にリラックス映像を見ることができる。また、天板１３１に載置されていない患者又は医療従事者は、壁５００に取り付けられた当該表示機器に表示された支援情報を、反射板６７を介さずに直接的に見ることができる。
【００８３】
また、当該表示機器に患者確認情報やコイル設置情報を表示させる場合、当該表示機器は、天板１３１に載置されていない患者又は医療従事者が視認可能な、架台１１の筐体の特定箇所に取付けられても良い。
【００８４】
上記の構成の通り、変形例２によれば、磁気共鳴イメージングシステム１又は２は、ＭＲ検査に関する一連の支援情報を表示する表示機器と、ＭＲ検査の検査情報と天板１３１の位置とに基づいて支援情報を切替える処理回路２１０又はシステム制御回路３９とを少なくとも有する。これにより、移動式スクリーン装置１５を有さない場合であっても、検査局面に応じた支援情報を患者や医療従事者に提示することにより、ＭＲ検査のワークフローを改善することができる。
【００８５】
（総括）
以上、上記の少なくとも一つの実施形態に係る磁気共鳴イメージングシステムは、架台１１、寝台１３、移動式スクリーン装置１５又は変形例２の表示機器、及び処理回路２１０又は変形例１のシステム制御回路３９を有する。架台１１は、ＭＲ撮像機構を搭載する。寝台１３は、患者を載置する天板１３１を移動自在に支持する。移動式スクリーン装置１５又は変形例２の表示機器は、ＭＲ検査に関する一連の支援情報を提供する。処理回路２１０又は変形例１のシステム制御回路３９は、架台１１を利用するＭＲ検査の検査情報と天板１３１の位置とに基づいて支援情報を切り替える。
【００８６】
より詳細には、処理回路２１０又は変形例１のシステム制御回路３９は、天板１３１が患者載置高さＨ１に配置されている場合、支援情報として現検査の患者に関する患者確認情報を表示し、天板１３１が挿入可能高さＨ２に配置された場合、支援情報としてコイル設置情報を表示し、天板１３１が患者降台高さＨ３に配置されている場合、支援情報として次検査の患者に関するコイル設置情報を表示し、天板１３１が患者降台高さＨ３に配置され且つ現検査から次検査への患者の切替え指示がされた場合、支援情報として次検査の患者に関する患者確認情報を表示する。
【００８７】
上記の構成により、上記の少なくとも一つの実施形態に係る磁気共鳴イメージングシステムは、検査局面に応じた支援情報を自動的に決定して患者や医療従事者に提示することができる。
【００８８】
かくして、上記の少なくとも一つの実施形態によれば、ＭＲ検査のワークフローを改善することが可能な磁気共鳴イメージングシステム、磁気共鳴イメージング装置及び映像投影プログラムを提供することができる。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００９０】
１…磁気共鳴イメージングシステム、２…磁気共鳴イメージングシステム、１０…磁気共鳴イメージング装置、１１…架台、１３…寝台、１５…移動式スクリーン装置、１７…撮像制御ユニット、１８…撮像制御ユニット、１９…位置検出器、２１…傾斜磁場電源、２３…送信回路、２５…受信回路、２７…コンソール、２８…コンソール、３１…撮像制御回路、３２…再構成回路、３３…画像処理回路、３４…通信回路、３５…表示回路、３６…入力回路、３７…主記憶回路、３８…システム制御回路、３９…システム制御回路、４１…静磁場磁石、４３…傾斜磁場コイル、４５…ＲＦコイル、５１…架台筐体、５３…ボア、６１…移動台車、６３…スクリーン、６５…支持アーム、６７…反射板、６９…連結部、１００…映写機、１３１…天板、１３３…基台、１３５…寝台駆動装置、２００…映写機制御装置、２１０…処理回路、２１１…トリガ取得機能、２１３…検査局面判定機能、２１５…支援情報決定機能、２１７…支援情報出力機能、２２０…支援情報記憶回路、２３０…通信回路、２４０…表示回路、２５０…入力回路、２６０…主記憶回路、２７０…接続回路。
【図１】
2018064889.tif 000003
【図２】
2018064889.tif 000004
【図３】
2018064889.tif 000005
【図４】
2018064889.tif 000006
【図５】
2018064889.tif 000007
【図６】
2018064889.tif 000008
【図７】
2018064889.tif 000009
【図８】
2018064889.tif 000010
【図９】
2018064889.tif 000011
【図１０】
2018064889.tif 000012
【図１１】
2018064889.tif 000013
【図１２】
2018064889.tif 000014
【図１３】
2018064889.tif 000015
【図１４】
2018064889.tif 000016
【図１５】
2018064889.tif 000017
【図１６】
2018064889.tif 000018